(57)【要約】【課題】組立が簡単であって、高強度であり、機能もベターであり、実装においても簡便であり、キートップも容易に脱落し得ないキーボード用のキーユニットを提供する。【解決手段】キートップと、第一の支持枠と、第二の支持枠と、固定板と、キートップ及び固定板との間において、交叉結合させた鋏状支持具構造で組込まれた第一の支持枠と前記第二の支持枠と、弾性部材及び薄膜回路板とを含み、第一の支持枠及び第二の支持枠の両側にそれぞれ一対の回転軸と一対の摺動軸を設け、固定板上に固定板掛止部と、固定板当止部と、固定板支持リブと、固定板滑止部と、固定板指示板及び固定板スロットとを設けて、回転軸及び摺動軸とをロックするとともに規制する。【選択図】図2
0003127125.tif 000002
【実用新案登録請求の範囲】
【請求項１】
キートップと、第一の支持枠と、第二の支持枠と、固定板と、弾性具及び薄膜回路板とを含み、前記第一の支持枠と前記第二の支持枠とを交叉結合させて鋏状支持具構造を形成して、キートップ及び前記固定板との間に組込むキーボード用のキーユニットにおいて、
前記第一の支持枠をアーチ状の枠体に形成し、前記第二の支持枠と前記固定板上にそれぞれ通孔を設け、前記薄膜回路板上に前記弾性部材を設置するとともに、前記通孔を通してキートップに接触させ、
前記第一の支持枠と、前記第二の支持枠との両側にそれぞれ一対の回動軸及び一対の摺動軸とを設け、前記固定板上に固定板掛止部と、固定板当止部と、固定板支持リブと、固定板滑止部及び固定板スロットを設ける。前記固定板掛止部は、前記固定板当止部の両側に設けられ、底部に固定板支持リブを有して半開放容量の空間を形成する。尚、固定板掛止部上にガイド斜面を有す。又、固定板滑止部にも半開放容量の空間が形成され、固定板掛止部上にガイド斜面を設けたことを特徴とするキーボード用のキーユニット。
【請求項２】
前記第一の支持枠及び前記第二の支持枠に、それぞれ結合孔及び結合柱とを設けて互いに結合させたことを特徴とする請求項1に記載のキーボード用のキーユニット。
【請求項３】
前記第一の支持枠及び前記第二の支持枠に、それぞれ弾性を具えたことを特徴とする請求項1に記載のキーボード用のキーユニット。
【請求項４】
前記固定板上おいて固定板支持板を設け、固定板滑止部及び固定板支持板で半開放容量の空間を形成したことを特徴とする請求項1に記載のキーボード用のキーユニット。
【請求項５】
前記固定板支持リブは、二点支持であることを特徴とする請求項1に記載のキーボード用のキーユニット。
【請求項６】
前記第二支持枠上に固定孔を設けて冶具に固定することを特徴とする請求項1に記載のキーボード用のキーユニット。
【請求項７】
前記弾性部材は、ケイ素樹脂で構成され、前記キーユニット上には、前記弾性部材に相対する固定柱を設けたことを特徴とする請求項1に記載のキーボード用のキーユニット。
【請求項８】
前記請求項1に記載されたキーボード用のキーユニットは、下側に設けた底板をも含むことを特徴とする。
【考案の詳細な説明】
【技術分野】
【０００１】
本考案は、キーボード用キーユニットの構造改善に関し、特に、構造が簡単で強度及び機能が良く、人手煩雑及び時間浪費等を解消する廉価なキーボード用キーユニットに関する。
【考案の開示】
【考案が解決しようとする課題】
【０００２】
図1a乃至図1dにおいて示す現状キーボードの製作は、一対摺動軸に固定板上の回転軸を把持させて固定板に押込み、且つ、冶工具不使用方式は相当な時間と人手との浪費を招く故、本考案の目的は、構造が簡単で強度及び機能が良く、尚且つ、組立作業に便利であって、キートップが容易に外れない組立冶工具使用の快速作業により、人手煩雑及び時間浪費の解消を行うキーボード用キーユニットの組立構造を提供する。
【課題を解決するための手段】
【０００３】
前記目的の実現に鑑み、本考案において下記技術方案を採用する。
本考案のキーボード用キーユニットの組立は、キートップと、固定板と、前記キートップと前記固定板との間において交叉結合した鋏状支持部構造の第一の支持枠及び第二の支持枠と、固定板と、弾性部材及び薄膜回路板とを備え、前記第一の支持枠は、アーチ状の枠体に形成され、前記第二の支持枠との結合において、前記第二の支持枠を前記第一の支持枠内に設置し、それぞれ前記第一支持枠及び前記第二支持枠上に設けられた結合孔および結合柱との位置決めにより結合され、鋏状支持構造部材の弾性変形を形成する。前記固定板には前記弾性部材を許容する通孔が設けられ、組立において、前記弾性部材を前記薄膜回路板上に設置し、前記通孔を通して前記キートップに当接される。
【０００４】
尚、前記第一の支持枠及び第二の支持枠両側にそれぞれ設置された一対の回転軸及び一対の摺動軸とを用いることにより、容易に上面から前記固定板掛止部と固定板滑止部を圧入実装し得る。前記固定板上には、固定板掛止部と、固定板当止部と、固定板支持リブと、固定板滑止部及び固定板スロット等を設け、前記固定板掛止部を前記固定板当止部の両側に設置し、底部に固定板支持リブを有して半開放容量の空間を形成するとともに、前記第二支持枠の回転軸が回転のみしうるように規制され、底部固定板支持リブは、二点支持式に設けて回転軸の摩擦面積を少なくすることで回転軸の摩擦力の低下を図る。
【０００５】
又、前記固定板滑止部と固定板スロットを他辺の両側に設置し、底部に固定板支持板を有して、半開放容量空間を形成することにより前記第一支持枠の摺動軸を収納し、当該第一支持枠摺動軸の摺動を規制する。
【０００６】
尚、前記第一の支持枠及び前記第二の支持枠に弾性を有し、前記固定板掛止部と前記固定板滑止部上にガイド斜面を構成して、前記回転軸及び前記摺動軸の通過をガイドすることにより、前記固定板掛止部及び前記固定板滑止部内に圧入させ、前記ガイド斜面は前記半開放容量空間開口部に設置して、回転軸及び摺動軸を上から下へ導入し、前記第一支持枠及び前記第二支持枠の回転軸及び摺動軸が容易に通過して押圧され得るようにガイドし、前記第一支持枠及び前記第二支持枠の一端を固定板上にロックする。前記固定板スロットは、第一支持枠の当止部をスロット内に挿入することにより、該第一支持枠摺動軸が安定摺動をするように規制する。
【０００７】
前記弾性部材は、珪素樹脂材で作成され、上方に設けた圓孔部中間の突起を前記キートップ上に設置された固定柱に対向して設けられ、キートップ押圧時に前記キートップにより弾性部材が押圧変形するも、固定柱により前記弾性部材が顛倒することを防ぎ、前記弾性部材の凸柱が薄膜回路板の接触点を押圧して押圧信号を送出する。
【０００８】
尚、前記キーユニットの構造は、薄膜回路板下面の底板をも含む。
【考案を実施するための最良の形態】
【０００９】
本考案の上述目的、特徴及びメリットは、図面を参照して行う下記実施例の詳細な説明から一層明らかとなろう。
図2と図2aに示す本考案実施例のキーボード用キーユニットは、キートップ5と、固定板3と、前記キートップ5と前記固定板3との間において交叉結合した鋏状支持部構造の第一の支持枠1及び第二の支持枠2と、弾性部材4及び薄膜回路板6及び前記薄膜回路板6下側の底板7とを備える。其のうち、前記第一の支持枠1は、アーチ状の枠体に形成され、前記第二の支持枠2と前記第一の支持枠1との結合において、前記第二の支持枠2を前記第一の支持枠1内に収納し、それぞれ前記第一支持枠1及び前記第二支持枠2上に設けられた結合孔13および結合柱23との位置決めにより結合され、鋏状支持構造部材の弾性変形を形成する。前記固定板3上にはそれぞれ前記弾性部材4が穿出する通孔34が設けられ、又、第二の支持枠2にも前記弾性部材4が穿出する貫通孔24を具える。前記弾性部材4は、前記薄膜回路板6上に設置され、組立作業において、前記通孔24, 34を通して前記キートップ5に当接される。尚、前記第一の支持枠1上に当止部材14及び位置決めスロット25が設けられ  、前記位置決めスロット25は、冶工具上に配置する場合の位置決め用として用いられる。
【００１０】
図3及び図4は、本考案のキーユニット上起及び圧下状態の断面図である。前期弾性部材4は、弾性を具えた珪素樹脂材で構成され、上端部に円孔を有し、前記キートップ5上に設けられた固定柱53と前記弾性部材4上端の円孔に対向させ、中間部に凸柱4を設置して薄膜回路板6上の接觸点押圧に用いる。
【００１１】
キートップ5が押圧されたとき、前記キートップ5により弾性部材4が変形するとともに、鋏状支持構造部材においても結合の変形を形成し下方側を圧縮する。尚、前記キートップ5の
固定柱53は、前記弾性部材4の顛倒防止に用いられ、弾性部材突起部41が前記薄膜回路板6の接触点を押圧して押圧信号を送出する。
【００１２】
図5乃至図10cに従ってキーユニット組立を以下に説明する。鋏状支持構造部材の前記第一支持枠1上端には回転軸11が設置され、下端には外側へ延伸して摺動軸12を設ける。前記第二支持枠2の上端には内側へ延びる摺動軸22を設け、下端には外側へ延伸して回転軸21を設置する。
【００１３】
前記固定板3上に固定板掛止部31と、固定板当止部33と、          
固定板支持リブ35と、固定板滑止部36と、固定板支持板37及び固定板スロット32を設け、前記固定板掛止部31を前記固定板当止部33の両側に形成させ、底部に固定板支持リブ35  を具えて半開放容量の空間を成し、前記第二支持枠2の回転軸21収納するとともに、前記回転軸21が回転のみしうるように規制する。底部の前記固定板支持リブ35は、二点支持のみであるゆえ、前記回転軸21の摩擦面積減少となり、回転軸21における摩擦力の低下が図れる。
【００１４】
図7は、考案の固定板掛止部31とガイド斜面38の局部拡大図である。前記固定板掛止部31上にガイドと斜面38を設けたゆえ、前記第二支持枠2の回転軸21を容易に圧入することができ、且つ、容易に脱離しない。前記固定板滑止部36及び固定板支持板37とで半開放容量の空間を形成し、前記第一支持枠1の摺動軸12を収納するとともに該摺動軸12の摺動を限定する。又、図8の固定板滑止部36とガイド斜面39の局部拡大図であって、前記第一支持枠1の摺動軸12が容易に圧入できるように固定板滑止部36とガイド斜面39を設け、同時に前記第一支持枠1の当止部材14が前記固定板スロット32内に挿入されて前記第一支持枠1の摺動軸12が安定摺動を成し、又容易に脱離しえないように考慮されてある。
【００１５】
前記第一の支持枠1と第二の支持枠2には弾性を具える。従って、前記固定板掛止部31上のガイド斜面38及び前記固定板滑止部36上のガイド斜面39で、前記第一支持枠1の摺動軸12及び回転軸21を前記固定板掛止部31及び前記固定板滑止部36内の圧入へガイドし、尚、前記ガイド斜面38は、前記半開放容量の空間開口部が設置され、図9bが示すように前記第一支持枠の摺同軸12及び回転軸21を上方から下方へ導入し、前記第一支持枠1及び第二支持枠2の摺動軸12及び回転軸21を
容易に正面から押圧して組み立てる。尚、図10bが示すように組立作業が簡便であって、前記第一支持枠1及び第二支持枠2の一端を固定板3上にロックできる。従って、第一支持枠1の当止部材14が前記固定板スロット32内に挿入されて前記第一支持枠1の摺動軸12が安定摺動を成し、又容易に脱離しえないように成る。
【００１６】
以上の記述は、本考案の説明を成すための方便のみに提出された実施例であって、考案の創意構造と特徴を限定するものではない。従って、考案の創作領域は、該項技術担当者が本創意範囲内において、容易に想到しうる変化、又はその修飾をも含むことをも改めて陳述する。
【図面の簡単な説明】
【００１７】
【図１ａ】従来技術のキーユニットの組立説明図。
【図１ｂ】従来技術のキーユニットの組立説明図。
【図１ｃ】従来技術のキーユニットの組立説明図。
【図１ｄ】従来技術のキーユニットの組立説明図。
【図２】本考案のキーユニットを示す分解図。
【図２ａ】本考案キーユニットの第一支持枠側面図。
【図３】本考案のキーユニット上起状態断面図。
【図４】本考案のキーユニット圧下状態断面図。
【図５】本考案のキーユニットの組立立体図。
【図６】図5におけるキーユニットの組立の他角度正視図。
【図７】考案の固定板掛止部とガイド斜面の局部拡大図。
【図８】考案の固定板滑止部とガイド斜面の局部拡大図。
【図９ａ】本考案の支持枠と固定板の組立説明図。
【図９ｂ】図9aにおけるＩ−Ｉ線断面図。
【図９ｃ】図9bの局部拡大図。
【図１０ａ】本考案のキーユニット支持枠と固定板の組立図。
【図１０ｂ】図10aにおけるII−II線断面図。
【図１０ｃ】図10b の局部拡大図。
【符号の説明】
【００１８】
1    第一の支持枠          2    第二の支持枠
3    固定板                4    弾性部材
5    キートップ            6    薄膜回路板
7    底板                  11   回転軸
12   第一支持枠の摺動軸    13   結合孔
14    当止部材      21   回転軸
22   第二支持枠の摺動軸    23   結合柱
24   通孔                  25   位置決めスロット
31   固定板掛止部          32   固定板スロット
33  固定板当止部      34   通孔
35   固定板支持リブ        36   固定板滑止部
37   固定板支持板          38   ガイド斜面
39   ガイド斜面            41   突起部
53   固定柱
【図１ａ】
0003127125.tif 000003
【図１ｂ】
0003127125.tif 000004
【図１ｃ】
0003127125.tif 000005
【図１ｄ】
0003127125.tif 000006
【図２】
0003127125.tif 000007
【図２ａ】
0003127125.tif 000008
【図３】
0003127125.tif 000009
【図４】
0003127125.tif 000010
【図５】
0003127125.tif 000011
【図６】
0003127125.tif 000012
【図７】
0003127125.tif 000013
【図８】
0003127125.tif 000014
【図９ａ】
0003127125.tif 000015
【図９ｂ】
0003127125.tif 000016
【図９ｃ】
0003127125.tif 000017
【図１０ａ】
0003127125.tif 000018
【図１０ｂ】
0003127125.tif 000019
【図１０ｃ】
0003127125.tif 000020
【手続補正書】
【提出日】平成18年9月26日(2006.9.26)
【手続補正１】
【補正対象書類名】実用新案登録請求の範囲
【補正対象項目名】請求項１
【補正方法】変更
【補正の内容】
【請求項１】
キートップと、第一の支持枠と、第二の支持枠と、固定板と、弾性具及び薄膜回路板とを含み、前記第一の支持枠と前記第二の支持枠とを交叉結合させて鋏状支持具構造を形成して、キートップ及び前記固定板との間に組込むキーボード用のキーユニットにおいて、
前記第一の支持枠をアーチ状の枠体に形成し、前記第二の支持枠と前記固定板上にそれぞれ通孔を設け、前記薄膜回路板上に前記弾性部材を設置するとともに、前記通孔を通してキートップに接触させ、
前記第一の支持枠と、前記第二の支持枠との両側にそれぞれ一対の回動軸及び一対の摺動軸とを設け、前記固定板上に固定板掛止部と、固定板当止部と、固定板支持リブと、固定板滑止部及び固定板スロットを設け、前記固定板掛止部は、前記固定板当止部の両側に設けられ、底部に固定板支持リブを有して半開放容量の空間を形成し、固定板掛止部上にガイド斜面を有し、固定板滑止部にも半開放容量の空間が形成され、固定板掛止部上にガイド斜面を設けたことを特徴とするキーボード用のキーユニット。
【手続補正２】
【補正対象書類名】実用新案登録請求の範囲
【補正対象項目名】請求項８
【補正方法】変更
【補正の内容】
【請求項８】
下側に設けた底板をも含むことを特徴とする請求項1に記載のキーボード用のキーユニット。